(57)【要約】 【課題】  釣仕掛を確実に収納する。収納具の製造コストを安価にする。【解決手段】  細長形の扁平な袋体の一方の短手辺に設けられた挿入口から袋体１１の内部に展開された釣仕掛２を挿入して収納する。挿入口１２から袋体１１の内部に空気を注入して空気の圧力で袋体１１を筒形に変形させ、袋体１１の変形に伴って拡開した挿入口１２から袋体１１の内部に展開された釣仕掛２を挿入して収納する。【選択図】        図１
2005143470.tif 000002
【特許請求の範囲】
【請求項１】
細長形の扁平な袋体の一方の短手辺に設けられた挿入口から袋体の内部に展開された釣仕掛を挿入して収納する釣仕掛収納方法において、挿入口から袋体の内部に空気を注入して空気の圧力で袋体を筒形に変形させ、袋体の変形に伴って拡開した挿入口から袋体の内部に展開された釣仕掛を挿入して収納することを特徴とする釣仕掛収納方法。
【請求項２】
請求項１の釣仕掛収納方法において、袋体の他方の短手辺付近に通気孔を開口しておき、挿入口から袋体の内部に空気を注入する際に通気孔を閉塞することを特徴とする釣仕掛収納方法。
【請求項３】
請求項１の釣仕掛収納方法において、袋体の他方の短手辺付近に通気孔を開口しておき、挿入口から袋体の内部に空気を注入する際に通気孔から空気の一部を漏出させることを特徴とする釣仕掛収納方法。
【請求項４】
請求項２または３の釣仕掛収納方法において、釣仕掛を袋体の内部に収納した後、挿入口，通気孔の双方から空気を排出することを特徴とする釣仕掛収納方法。
【請求項５】
細長形の扁平な袋体の一方の短手辺に展開された釣仕掛を内部に挿入するための挿入口が設けられた釣仕掛収納具において、袋体は内部に注入された空気の圧力で筒形に変形する材質で形成され、袋体の他方の短手辺付近には通気孔を開口したことを特徴とする釣仕掛収納具。
【請求項６】
請求項５の釣仕掛収納具において、袋体は人の呼気により注入された空気の圧力で筒形に変形する材質で形成され、通気孔は人の指先で閉塞可能な大きさ，形状であることを特徴とする釣仕掛収納具。
【発明の詳細な説明】
【技術分野】
【０００１】
本発明は、さびき仕掛等のように幹糸から複数のハリス，釣針が枝分かれされた釣仕掛を展開した状態で収納する釣仕掛収納に係る技術分野に属する。
【背景技術】
【０００２】
一般に、さびき仕掛等の釣仕掛は、台紙に幹糸を捲回するとともに、台紙に釣針を一定間隔で係止させて台紙に捲回された幹糸から延びるハリスを整列させ、台紙と一体化された状態で包装され販売されている。この包装構造では、包装を解いて台紙から釣仕掛を外すと、幹糸，ハリスの台紙の角に当接していた部分に折癖がついてしまい、ハリス等が絡まりやすくなるという不具合がある。また、使用後に、再使用のために台紙に釣仕掛を捲回，係止させようとしても、作業が非常に面倒になるという不具合がある。このため、幹糸，ハリスに折癖をつかせずに包装，販売することができて、再使用のために簡単に収納することのできる釣仕掛収納技術の開発が切望されている。
【０００３】
従来、前述の切望に応える釣仕掛収納技術としては、例えば、以下に記載のものが知られている。
【特許文献１】登録実用新案第３０２８１６７号公報  特許文献１には、細長形の２つ折のシートに展開された釣仕掛を収納して巻取る技術が記載されている。
【特許文献２】登録実用新案第３０００７４７号公報  特許文献２には、細長形の扁平な袋体の一方の短手辺に設けられた漏斗形の挿入口から展開された釣仕掛を内部に挿入して折畳む技術が記載されている。
【発明の開示】
【発明が解決しようとする課題】
【０００４】
特許文献１に係る技術では、細長形のシートの開放されている長手辺から収納された釣仕掛が不測にはみだしてしまうことがあるという問題点がある。また、特許文献２に係る技術では、漏斗形の挿入口の形成のために袋体の製造が面倒で収納具の製造コストが高くなるという問題点がある。
【０００５】
本発明は、このような問題点を考慮してなされたもので、釣仕掛を確実に収納することができて収納具の製造コストが安価になる釣仕掛収納方法と、この釣仕掛収納方法の実施での使用に好適な釣仕掛収納具とを提供することを課題とする。
【課題を解決するための手段】
【０００６】
前述の課題を解決するため、本発明に係る釣仕掛収納方法は、特許請求の範囲の請求項１〜４に記載の手段を採用する。
【０００７】
即ち、請求項１では、細長形の扁平な袋体の一方の短手辺に設けられた挿入口から袋体の内部に展開された釣仕掛を挿入して収納する釣仕掛収納方法において、挿入口から袋体の内部に空気を注入して空気の圧力で袋体を筒形に変形させ、袋体の変形に伴って拡開した挿入口から袋体の内部に展開された釣仕掛を挿入して収納することを特徴とする。
【０００８】
この手段では、袋体に釣仕掛を収納することで、収納された釣仕掛が不測にはみだしてしまうことを防止する。また、空気の圧力による袋体の変形に伴い拡開した挿入口から展開した釣仕掛を収納することで、収納具に漏斗形の挿入口の形成を不要にする。
【０００９】
また、請求項２では、請求項１の釣仕掛収納方法において、袋体の他方の短手辺付近に通気孔を開口しておき、挿入口から袋体の内部に空気を注入する際に通気孔を閉塞することを特徴とする。
【００１０】
この手段では、注入された空気が通気孔から漏出されることなく袋体を変形させる。
【００１１】
また、請求項３では、請求項１の釣仕掛収納方法において、袋体の他方の短手辺付近に通気孔を開口しておき、挿入口から袋体の内部に空気を注入する際に通気孔から空気の一部を漏出させることを特徴とする  。
【００１２】
この手段では、袋体の内部に挿入口から通気孔に向かう空気の流れが形成される。
【００１３】
また、請求項４では請求項２または３のいずれかの釣仕掛収納方法において、釣仕掛を袋体の内部に収納した後、挿入口，通気孔の双方から空気を排出することを特徴とする。
【００１４】
この手段では、挿入口，通気孔から複数方向へ空気が排出される。
【００１５】
さらに、前述の課題を解決するため、本発明に係る釣仕掛収納具は、特許請求の範囲の請求項５，６に記載の手段を採用する。
【００１６】
即ち、請求項５では、細長形の扁平な袋体の一方の短手辺に展開された釣仕掛を内部に挿入するための挿入口が設けられた釣仕掛収納具において、袋体は内部に注入された空気の圧力で筒形に変形する材質で形成され、袋体の他方の短手辺付近には通気孔を開口したことを特徴とする。
【００１７】
この手段では、袋体に通気孔を開口するだけで製造することができる。
【００１８】
また、請求項６では、請求項５の釣仕掛収納具において、袋体は人の呼気により注入された空気の圧力で筒形に変形する材質で形成され、通気孔は人の指先で閉塞可能な大きさ，形状であることを特徴とする。
【００１９】
この手段では、器具等を使用せずに人手のみで釣仕掛を収納することができる。
【発明の効果】
【００２０】
本発明に係る釣仕掛収納方法は、袋体に釣仕掛を収納することで、収納された釣仕掛が不測にはみだしてしまうことを防止するため、釣仕掛を確実に収納することができる効果がある。また、空気の圧力による袋体の変形に伴い拡開した挿入口から展開した釣仕掛を収納することで、収納具に漏斗形の挿入口の形成を不要にするため、収納具の製造コストが安価になる効果がある。また、請求項２として、注入された空気が通気孔から漏出されることなく袋体を変形させるため、効率的に袋体を変形させることができる効果がある。また、請求項３として、袋体の内部に挿入口から通気孔に向かう空気の流れが形成されるため、釣仕掛が空気の流れに案内されて収納が容易になる効果がある。また、請求項４として、挿入口，通気孔から複数方向へ空気が排出されるため、袋体の内部の空気を確実，急速に排気することができる効果がある。
【００２１】
本発明に係る釣仕掛収納具は、前述の本発明に係る釣仕掛収納方法の効果を損なうことがないことに加えて、袋体に通気孔を開口するだけで製造することができるため、既存品の袋体を利用して簡単な加工で製造することができる効果がある。また、請求項６として、器具等を使用せずに人手のみで釣仕掛を収納することができるため、再使用のための収納に好適である効果がある。
【発明を実施するための最良の形態】
【００２２】
以下、本発明に係る釣仕掛収納方法および釣仕掛収納具を実施するための最良の形態を図面に基づいて説明する。
【００２３】
図１は、本発明に係る釣仕掛収納具を実施するための最良の形態を示すものである。
【００２４】
この釣仕掛収納具１は、細長形の扁平な袋体１１の一方の短手辺に挿入口１２が設けられ他方の短手辺付近に通気孔１３が開口されている。袋体１１は、内部を透視できて空気Ａの圧力で筒形に変形されるように透明または半透明の柔軟性をもった合成樹脂フィルムで形成されている。袋体１１の外側面の挿入口１２付近には、釣仕掛２の種類等の必要事項を記入可能な表示部１４が設けられている。挿入口１２は、袋体１１の口部分をそのまま利用するとともに、袋体１１の口部分が斜めにカットされたカット部１５が設けられている。カット部１５に連続した長手辺には、小さな切込１６が設けられている。通気孔１３は、袋体１１の角部をカットしたように形成されている。
【００２５】
この釣仕掛収納具１の袋体１１の材質は、少なくとも人の呼気により注入された空気Ａの圧力で筒形に変形可能なものとする。また、この釣仕掛収納具１の通気孔１３の大きさ，形状は、人の指先で閉塞可能なものとする。
【００２６】
この形態によると、釣仕掛収納具１の挿入口１２に特許文献２に係る技術の漏斗形のものを形成する必要がないため、製造コストが安価になる。また、既存の細長形の袋を少し加工して簡単に製造することができる。
【００２７】
図２，図３は、本発明に係る釣仕掛収納方法を実施するための最良の形態の第１例を示すものである。
【００２８】
第１例では、幹糸２１の端部に重り２２，撚戻し２３が取付けられ幹糸２１の中途部に６本，６個のハリス２４，釣針２５が向きを交互にして接続されてなる釣仕掛２を収納する場合を示している。
【００２９】
この釣仕掛２の収納に際しては、図２（Ａ）に示すように、釣仕掛収納具１の通気孔１３を閉塞して挿入口１２から袋体１１の内部に空気Ａを注入する。
【００３０】
釣仕掛収納具１の通気孔１３の閉塞については、再使用のための収納であれば釣人の指先で行われ、販売，包装のための収納であれば製造装置のクランプ等で行われる。釣仕掛収納具１の挿入口１２から袋体１１の内部への空気Ａの注入について、再使用のための収納であれば釣人の呼気によって行われ、販売，包装のための収納であれば製造装置のエアノズル等で行われる。従って、再使用のための収納では、器具等を使用せずに人手のみで行うことができる。
【００３１】
釣仕掛収納具１の袋体１１の内部に注入された空気Ａは、圧力で袋体１１を筒形に変形させ、袋体１１の変形に伴って挿入口１２も拡開される。
【００３２】
続いて、図２（Ｂ）に示すように、釣仕掛収納具１の拡開された挿入口１２から釣仕掛２を展開された状態で挿入する。
【００３３】
釣仕掛２の挿入については、釣仕掛収納具１，釣仕掛２を上下に配置して、釣仕掛２を重り２２の案内で落込むようにするのが好ましい。展開されている釣仕掛２は、釣仕掛収納具１の挿入口１２が拡開され袋体１１が筒形になっているため、釣針２５等が挿入口１２，袋体１１に引掛かることなく円滑に挿入される。
【００３４】
続いて、図２（Ｃ）に示すように、釣仕掛収納具１の通気孔１３の閉塞を維持して、釣仕掛収納具１の袋体１１の内部に釣仕掛２を完全（幹糸２１の一部と撚戻し２３とを除く）に収納する。
【００３５】
釣仕掛収納具１の通気孔１３の閉塞の維持は、空気Ａの無用の抜けを防止して、釣仕掛収納具１の袋体１１の筒形と挿入口１２の拡開とを保持し、釣仕掛２の円滑な収納を最後まで保障する。
【００３６】
続いて、図２（Ｄ）に示すように、釣仕掛収納具１の通気孔１３の閉塞を解除して、釣仕掛２の撚戻し２３を掴んで幹糸２１の上端末を釣仕掛収納具１の長手辺側に回し切込１６に差込む。
【００３７】
釣仕掛収納具１の切込１６に差込まれた釣仕掛２の幹糸２１は、釣仕掛収納具１に抜止めされ、釣仕掛２の大部分が釣仕掛収納具１の袋体１１の内部に安定的に保持される。なお、釣仕掛収納具１のカット部１５は、釣仕掛２の撚戻し２３を掴んでの幹糸２１の回し操作の障害物を消失させていることになる。
【００３８】
続いて、図２（Ｅ）に示すように  釣仕掛収納具１の挿入口１２，通気孔１３の双方から空気Ａを排気する。
【００３９】
空気Ａの排気については、釣仕掛収納具１の袋体１１を押圧することもでき、放置しても自然排気させることもできる。いずれにしても、２方向への排気になるため、釣仕掛収納具１の袋体１１の内部に空気Ａが残留することなく効率的な排気がなされる。
【００４０】
この結果、特許文献２に係る技術の漏斗形のものがなくても、釣仕掛収納具１に釣仕掛２を簡単に収納することができる。なお、図３に示すように、収納された釣仕掛２が釣仕掛収納具１から不測にはみだすようなことはない。
【００４１】
図４，図５は、販売や釣行のための保管，携帯の取扱例を示している。
【００４２】
図４では、釣仕掛収納具１の袋体１１を巻取っている。この巻取状態は、テープの接着や円筒ケースへの挿入等で保持することで、釣道具箱へコンパクトに収納したり、店頭でコンパクトに展示したりすることができる。
【００４３】
図５では、釣仕掛収納具１の袋体１１を折畳んでいる。この折畳み状態は、袋への収納等で保持することで、釣道具箱へコンパクトに収納したり、店頭でコンパクトに展示したりすることができる。
【００４４】
図４，図５の外に  釣仕掛収納具１の袋体１１を細長形のまま、筒形の竿収納具に収納したり、吊下札を取付けて店頭に展示することもできる。
【００４５】
図６は、本発明に係る釣仕掛収納方法を実施するための最良の形態の第２例を示すものである。
【００４６】
第２例では、釣仕掛２を釣仕掛収納具１に収納する際に、釣仕掛収納具１の通気孔１３を閉塞しないで、釣仕掛２を釣仕掛収納具１に完全に収納するまで釣仕掛２まで指向性のある空気Ａを吹付ける。
【００４７】
第２例によると、釣仕掛収納具１の袋体１１の内部に挿入口１２から通気孔１３へ向かう空気Ａの流れが形成され、釣仕掛２をが袋体１１の内部に吸込まれるようにして案内されるる。従って、釣仕掛２の釣仕掛収納具１への収納がより確実，迅速になる。なお、指向性のある空気Ａについては、織機の緯糸の飛ばし技術を利用することができる。
【００４８】
この第２例は、空気Ａの制御の必要性等から、販売，包装のための製造装置による収納に好適となる。
【００４９】
図７は、本発明に係る釣仕掛収納方法を実施するための最良の形態の第３例を示すものである。
【００５０】
第３例では、釣仕掛２を釣仕掛収納具１に収納する際に、釣仕掛２に添紙３を当てている。
【００５１】
第３例によると、釣仕掛２を添紙３に載せるようにしてばらけさせずに確実に釣仕掛収納具１に収納することができる。
【００５２】
この第３例は、再使用のための収納であれば添紙３を水分を吸収する吸取紙とし、販売，包装のための収納であれば添紙３を説明書等とすることができる。さらに、釣仕掛２を釣仕掛収納具１に収納した後に、添紙３を釣仕掛収納具１から抜出すことも可能である。
【００５３】
以上、図示した各例の外に、釣仕掛収納具１を長手辺を介して複数連結したり、袋体１１に中仕切を設けて複数の収納空間を形成することも可能である。
【図面の簡単な説明】
【００５４】
【図１】本発明に係る釣仕掛収納具を実施するための最良の形態であり、（Ａ）に正面図が示され、（Ｂ）に正面断面図が示されている。
【図２】本発明に係る釣仕掛収納方法を実施するための最良の形態の第１例の斜視図であり、（Ａ）〜（Ｅ）に操作順が示されている。
【図３】図２の収納が完了した状態の正面図である。
【図４】図３の保管，携帯のための取扱例を示す斜視図である。
【図５】図３の変形例を示す図である。
【図６】本発明に係る釣仕掛収納方法を実施するための最良の形態の第２例の斜視図である。
【図７】本発明に係る釣仕掛収納方法を実施するための最良の形態の第３例の斜視図である。
【符号の説明】
【００５５】
１            釣仕掛収納具
１１          袋体
１２          挿入口
１３          通気孔
２            釣仕掛
Ａ            空気
【図１】
2005143470.tif 000003
【図２】
2005143470.tif 000004
【図３】
2005143470.tif 000005
【図４】
2005143470.tif 000006
【図５】
2005143470.tif 000007
【図６】
2005143470.tif 000008
【図７】
2005143470.tif 000009